(57)【要約】【課題】手動により、海水から飲料に適する水を製造する装置であって、回収率を１０％以上とし、塩除去率９５％以上の水を毎分１００ｍｌ以上製造することが可能なものを提供することである。【解決手段】海水を４ＭＰａ以上に加圧するための一の手動式ポンプと、該手動式ポンプによって加圧された海水を飲料水に濾過する逆浸透膜とで構成されていることを特徴とする、海水の飲料水化装置である。【選択図】図１
2010142799.tif 000002
【特許請求の範囲】
【請求項１】
海水を４ＭＰａ以上に加圧するための一の手動式ポンプと、該手動式ポンプによって加圧された海水を飲料水に濾過する逆浸透膜とで構成されていることを特徴とする、海水の飲料水化装置。
【発明の詳細な説明】
【技術分野】
【０００１】  本発明は、手動式ポンプと逆浸透膜を組み合わせ、電力を使用することなく海水から飲料に適する水を製造する技術に関する。
【背景技術】
【０００２】  海水から飲料水を得ることを目的として海水を淡水化（即ち、飲料水化）するための研究報告は膨大であり、中には既に国内外で実用化されているものもある。海水の淡水化では、逆浸透膜を使う方法が主流になっているが、これらの実施例の多くは、大量の海水を一箇所で淡水化し、それを工業用や家庭用として供給することを目的としているため、大量の電力を使用する大規模なプラント規模で行われている。そのため、手動（即ち、人力）で海水を淡水化する報告は、このような大規模なプラント規模での実施に不向きであるため、ほとんどない。
しかしながら、海水が近くに存在するにもかかわらず、電源がなかったり、水道が届かなかったりするために飲料水を得ることが困難な場所も依然として存在し、また台風や地震等の災害時において、電気的な動力源を用いることなく、海水から飲料水を簡易且つ安価で製造することが必要な場合もある。そのため、手動で海水を淡水化することは極めて重要である。
一方、海水中に含まれる塩分（塩化ナトリウム）を濾過するためには、膜中の透過穴を塩化ナトリウムの分子容積に見合うほど小さくする必要があり、その結果、塩分を高効率で除去するには、海水の流入圧力を約４〜５ＭＰａ程度の高圧にすることが要求される。逆にいえば、低圧で使用する逆浸透膜では塩分の高い除去率は期待できない。
更に、工業的に製造される水道水では、一般に水道水に見合う極めて高純度の水（即ち、塩分除去率９９％以上）を得ることを目的としているため、逆浸透膜の透過に際し（即ち、濾過によって浄化水と濃縮水を排出するに際し）、浄化水の回収率（その定義は後述する）は１０％以下（約８％）になってしまう。しかし、海水が近くに存在するにもかかわらず、電源がなかったり、水道が届かなかったりするために飲料水を得ることが困難な場所や、台風や地震等の災害時での飲料水の確保では、飲料水として使用できる程度の純度（即ち、塩分除去率９５％以上）があればよく、寧ろその飲料水を、１０％を超える高収率で回収することが大切である。【０００３】  なお、特許文献１（特開２００４−２０２４７２号公報）には、手動で海水を淡水化する装置が開示されているが、この装置は、手動によって３ｋｇ／ｃｍ２という非常に低い圧力で海水を逆浸透膜に送り込み、このような低圧でも海水を浄水化できるような極めて高性能の逆浸透膜を使用することを特徴としている。そのため、この装置では、海水の浄水化で一般に使用されている程度の逆浸透膜を使用することは考えておらず、また、この装置で、海水の浄水化で一般に使用されている程度の逆浸透膜を使用して海水の淡水化を行ったとしても、このような低圧では、上述の通り、塩化ナトリウムを高い除去率で取り除くことは困難なはずである。
また、特許文献２（特開平１０−２３０２５９号公報）にも手動で海水等を浄水化して飲料水を製造する装置が開示されているが、この装置は２台の加圧ポンプと２台の排水ポンプを組み合わせて、両者を機能的に連動させることを特徴としている。そのため、装置が煩雑になってしまい、海水から飲料水を簡易且つ安価に提供するには不向きである。
更に、特許文献３（特開平８−２４３３５７号公報）にも手動で海水等を浄水化して飲料水を製造する装置が開示されているが、この装置は、逆浸透膜を透過しない濃縮水を排出することなく、海水の入った元の槽に戻すことを特徴としている。そのため、海水中に含まれる塩分（塩化ナトリウム）が排出されることなく、元の槽に海水以上の濃度で増え続けていくことになってしまうので、すぐに逆浸透膜を水が通過できなくなってしまい、逆浸透膜としての機能が失われてしまうという問題がある。また、海水以上に塩分（塩化ナトリウム）が増加すれば、塩分（塩化ナトリウム）が逆浸透膜に付着して目詰まりが起こり易く、海水の通過を妨げてしまうという問題も生じる。
更に、海水のみならず、汚染水（有機物や細菌類等からなる汚染物質を含む河川水、地下水、湖沼水、工業排水等）から飲料水を得ることができれば、飲料水の確保という観点からより好ましい。実際、特許文献３の装置のように、海水のみならず、河川水、地下水、湖沼水等を浄水化して飲料水を製造することを目的としているものもある。
しかしながら、このような装置では、塩分（塩化ナトリウム）を多く含んでいる海水の浄水化と、塩分（塩化ナトリウム）ではなく、有機物や細菌類等を多く含んでいる河川水や工業排水等の汚染水の浄水化とを区別しておらず、有機物や細菌類等を多く含んでいる河川水や工業排水等の汚染水の浄水化と塩分（塩化ナトリウム）を多く含んでいる海水の浄水化を同様に扱っている。
一方、海水の浄水化では、上述の通り、逆浸透膜の膜穴を塩化ナトリウムの分子容積に見合うほど小さくする必要があり、ポンプの圧力もそれに見合った約４〜５ＭＰａ程度の高圧力が必要になるが、河川水や工業排水等の汚染水のように大きな金属化合物（例えば金属錯体）、有機物、さらに大きな細菌を除去することが必要な場合には、塩化ナトリウムよりも分子容積が大きいため、海水の浄水化で必要とされる膜穴よりも大きな逆浸透膜で十分と考えられるので、ポンプの圧力も海水の浄水化で必要とされる圧力よりも低くてよいはずである。つまり、塩分（塩化ナトリウム）を多く含んでいる海水の浄水化と、塩分（塩化ナトリウム）ではなく、有機物や細菌類等を多く含んでいる河川水や工業排水等の汚染水の浄水化は別の次元の話しであり、両者を同じ逆浸透膜と水圧ポンプを使用した装置を使って浄水化するのは合理的ではない。
【特許文献１】特開２００４−２０２４７２号公報
【特許文献２】特開平１０−２３０２５９号公報
【特許文献３】特開平８−２４３３５７号公報
【発明の開示】
【発明が解決しようとする課題】
【０００４】  そこで、本発明の目的は、手動により、海水から飲料に適する水を製造する装置であり、回収率を１０％以上とし、塩除去率９５％以上の水を毎分１００ｍｌ以上製造することを可能にするものを提供することである。つまり、本発明は、塩分除去率９９％以上の飲料水を製造するのではなく、飲料に適する塩分除去率９５％以上の水を、海水から手動により高収率で製造するものである。
更に、本発明の目的は、上記装置を使用して汚染水（有機物や細菌類等からなる汚染物質を含む河川水、地下水、湖沼水、工業排水等）から飲料水を得たい場合には、上記の装置において、逆浸透膜と手動式ポンプの性能を取り変えることによって、該汚染水を飲料水にすることが可能なものを提供することである。
【課題を解決するための手段】
【０００５】  そこで、本発明の海水の飲料水化装置は、海水を４ＭＰａ以上に加圧するための一の手動式ポンプと、該手動式ポンプによって加圧された海水を飲料水に濾過する逆浸透膜とで構成されていることを特徴とする。【０００６】  本発明で使用する海水を加圧するための手動式ポンプは、海水に対して、耐性があって、４ＭＰａ以上に電力を使用することなく、人力で加圧できるものであれば特に限定されない。耐圧強度の観点から、一般的には金属材料で構成されたポンプを使用することが好ましい。
また、利便性や簡便性の観点から人力で持ち運び可能な小型のものが好ましい。【０００７】  但し、本発明の海水の飲料水化装置では、海水から飲料水を簡易且つ安価に提供することを目的としているため、本発明で使用する海水を加圧するための手動式ポンプは一つである。【０００８】  本発明で使用する逆浸透膜は、一の手動式ポンプによって４ＭＰａ以上の高圧に加圧された海水を通過させることができるものであればよく、０．３〜０．５ＭＰａ程度の低圧で加圧された海水でも通過させることができるような、より高価な逆浸透膜を使用する必要はない。
また、本発明で使用する逆浸透膜の構造としては、中空糸状、スパイラル状、チューブラー状が考えられるが、４ＭＰａ以上に加圧された海水を通過させることができれば何ら限定されないが、着脱作業の容易性という観点から、メンテナンスが簡単なスパイラル状が好ましい。
また、逆浸透膜の材質としては、酢酸セルロース、芳香族ポリアミド、ポリビニルアルコール、ポリスルホンやこれらの少なくとも一種を含む複合材等が知られているが、本発明で使用する逆浸透膜の材質としては、海水に対して、耐性があって、４ＭＰａ以上の加圧に耐えるものであれば特に限定されない。【０００９】  本発明の海水の飲料水化装置では、海水を４ＭＰａ以上に加圧するための一の手動式ポンプと、該手動式ポンプによって加圧された海水を飲料水に濾過する逆浸透膜が一体になっていても、それぞれ独立して取り換えるものであってもよい。但し、飲料水化する原水の種類（例えば、塩分を多く含む海水か、それとも有機物や細菌等を含む汚染水か）によって使用する手動式ポンプや逆浸透膜を容易に取り換えられるという点やメンテナンスの簡便性等の点から、一般的にはそれぞれが独立して取り換えられるものが好ましい。特に、海水の浄水化のみならず、河川水、地下水、湖沼水等の汚染水を浄水化して飲料水を製造することを目的とする場合には、両者を同じ逆浸透膜と水圧ポンプを使用した装置を使って浄水化するのは合理的ではないので、手動式ポンプと逆浸透膜のそれぞれが独立して取り換えられる構成にする。
【発明の効果】
【００１０】  本発明によれば、手動により、海水から、塩除去率９５％以上の飲料水を回収率１０％以上で製造することが可能になる。
【発明を実施するための最良の形態】
【００１１】  本発明の海水の飲料水化装置の概略を図１に示す。
図１に示す通り、海水（１）を水槽（２）に入れ、手動式ポンプのハンドル（７）を操作して海水を逆浸透膜（１２）に送り込む。圧力計（９）を見ながらニードルバルプ（１６）を動かして所定の圧力に調製する。透過水（２０）を透過水槽（２１）に、濃縮水（１７）を濃縮水槽（１８）に取る。なお、この装置では、手動式ポンプと逆浸透膜（１２）を収容した外周筒（１１）とが独立して交換できる構成になっているので、両者を別々に取り換えることができる。【００１２】  次に、本発明の海水の飲料水化装置を使用して、海水（模擬海水として３．５％食塩水を用いた）から得られる水（以後、浄化水と呼ぶ）に関して様々な条件下で試験を行った。なお、この浄化水は、図１における透過水（２０）のことである。
その際、逆浸透膜にはムロマチテクノス社製ＲＯエレメントＳＷ３０−２５１４を使用した。手動ポンプは、海水の飲料水化では、（株）キョーワ製Ｔ−１００Ｋ（最大圧力１０ＭＰａ）を使用し、浄化水と濃縮水の比率はニードルバルブで調節した。
塩化物イオン（ここでは慣用に従って塩素イオンと呼ぶ）の分析にはＣｅｎｔｒａｌ  Ｋａｇａｋｕ社製Ｍｏｄｅｌ  ＵＣ−４１を使用した。色素および錯体の定量および定性分析はＨｅｗｌｅｔｔ  Ｐａｃｋａｒｄ社製ＨＰ８４５３紫外・可視分光光度計を用いた。
【実施例】
【００１３】［実施例１］
本発明の海水の飲料水化装置を使用して海水（模擬海水として３．５％食塩水を用いた）から得られた浄化水に関して様々な条件下での試験結果を表１と２に示した。ここで、回収率とは、全流量中の浄化水の割合であり、定義は表中に記述する。なお、塩除去率％を塩素イオン除去率％と仮定した。【００１４】
【表１】
2010142799.tif 000003
ここで、塩素イオン除去率は、流出する濃縮水（その流出量Ｂ、塩素イオン濃度ｂ）と浄化水（その流出量Ａ，塩素イオン濃度ａ）の間で以下に定義される：（ｂ−ａ）／Ｂｘ１００％。【００１５】
【表２】
2010142799.tif 000004
ここで、塩素イオン除去率は、流出する濃縮水（その流出量Ｂ、塩素イオン濃度ｂ）と浄化水（その流出量Ａ，塩素イオン濃度ａ）の間で以下に定義される：（ｂ−ａ）／Ｂｘ１００％。【００１６】  表１と２に基づいて、海水の流入圧力が４ＭＰａと５ＭＰａの場合を比較すると、５ＭＰａの方が浄化水の塩素イオン濃度が低いが、４ＭＰａにおける場合の最高塩素イオン除去率は９５％であり、この場合に浄化水が、回収率８％以上、毎分１００ｍｌ以上で得られるので、本発明の装置によれば、４ＭＰａにおいても海水から飲料に適する水が得られることがわかった。
また、塩素イオン除去率が浄化水の回収率に依存しないことがわかった。
更に、浄化水の流速が増すと浄化水の塩素イオン濃度は僅かに減少する傾向にあることがわかった。つまり、この装置により、海水の流入圧力が４ＭＰａの場合には、浄化水を最大３５％の回収率で毎分１１８ｍｌの浄化水を製造することができ、海水の流入圧力が５ＭＰａの場合には、毎分最大１９８ｍｌの流量で浄化水を２６％の回収率で製造することができることがわかった。【００１７】  また、海水の流入圧力が４ＭＰａと５ＭＰａの両方の場合で、浄化水の回収率が、工業的に逆浸透膜を用いて製造される水道水における浄化水の回収率（８％）よりも高い値を示し、流入圧力が４ＭＰａと５ＭＰａのいずれにおいても平均で１０％以上の回収率が得られるので、海水から飲料水を、工業用の逆浸透膜の使用による浄化水の回収率よりも高い回収率で回収可能なことがわかった。更に、本発明の装置によれば、浄化水の回収率が高くても浄化水の塩素イオン濃度が高くならないことがわかった。
因みに、本試験の回収率は最高３５％であるから、この場合には、工業的に逆浸透膜を用いて製造される通常の水道水における浄化水の回収率（８％）の４倍にもなることがわかった。
また、流速を増すと浄化水の塩素イオン濃度はむしろ低下することがわかった。例えば、５ＭＰａにおいて、塩素イオン除去率９７％の浄化水が毎分１９８ｍｌ得られたが、この塩素イオン除去率は、同じ５ＭＰａにおける浄化水が毎分１２８ｍｌにおける塩素イオン除去率９５％よりも高かった。【００１８】［比較例２］
次に、海水の流入圧力を３．５ＭＰａで行って海水（模擬海水として３．５％食塩水を用いた）から得られた浄化水に関して様々な条件下での試験結果を表３に示す。
３．５ＭＰａの場合、浄化水の回収率は最大で３５％であったが、塩素イオン除去率は最大で９２％で、浄化水の流量も毎分１００ｍｌ以下であった。【００１９】
【表３】
2010142799.tif 000005
ここで、塩素イオン除去率は、流出する濃縮水（その流出量Ｂ、塩素イオン濃度ｂ）と浄化水（その流出量Ａ，塩素イオン濃度ａ）の間で以下に定義される：（ｂ−ａ）／Ｂｘ１００％。【００２０】  上記表１、表２及び表３のデータを基にして、浄化水の回収率と塩素イオン除去率の関係を図２に示した。図２からわかるように塩素イオン除去率は浄化水の回収率に依存しなかった。
また、上記表１、表２及び表３のデータを基にして、図３には浄化水流量と塩素イオン濃度の関係を示した。３．５ＭＰａ、４．０ＭＰａ、５．０ＭＰａの各圧力において、塩素イオン濃度は流量に殆んど依存しないが、プロット全体を見ると、流量が増加するほど塩素イオン濃度が減少する、即ち塩除去率が高くなることがわかった。
更に、表１〜３の結果から明らかなように、海水の流入圧力が３．５、４．０、そして５．０ＭＰａの場合、塩素イオン除去率の平均値は、それぞれ、９１．６％、９４．３％、９５．８％となり、海水の流入圧力の増加に伴って塩素イオン除去率は増加することがわかった。
そして、海水の流入圧力が４．０ＭＰａと５．０ＭＰａの場合には、上記の通り、塩素イオン除去率が９５％で回収率１０％以上の浄化水が毎分１００ｍｌ以上で得ることが可能であることがわかった。
つまり、圧力４ＭＰａ以上で海水を流入させれば、海水の流量と回収率に関わらず、塩除去率が９５％以上の飲料に適する水を、回収率１０％以上の高収率で毎分１００ｍｌ以上製造することが可能であることがわかった。【００２１】［実施例２］
海水の場合、塩分（塩化ナトリウム）の分子が非常に小さく、塩を取り除くためには逆浸透膜の透過穴が小さく、その結果高い圧力が要求される。一方、汚染水（有機物や細菌類等からなる汚染物質を含む河川水、地下水、湖沼水、工業排水等）の場合には、取り除くべき対象は主に細菌や有機物であり、分子容が大きい。そのため、逆浸透膜の透過穴が比較的に大きい。その結果、逆浸透膜への汚染水の流入圧力は、海水の飲料水化に比べて遥かに低くてすむと考えられる。
そこで、本発明の上記海水の飲料水化装置において、それを構成する手動式ポンプの性能を低圧用のものに、そして逆浸透膜の透過穴を大きいものに変えることにより、汚染水の飲料水化試験を行った。
具体的には、汚染水の飲料水化試験では、逆浸透膜としてムロマチテクノス社製ＲＯフィルムテックＴＷ３０−１８２５−７５を使用した。また、該逆浸透膜に対する水の圧力は０．３５ＭＰａとした。手動ポンプは、（株）キョーワ製Ｔ−５０Ｋ（最大圧力２．５ＭＰａ）を使用し、浄化水と濃縮水の比率はニードルバルブで調節した。【００２２】  汚染水は様々であるので、模擬汚染物質を使用することとし、該模擬汚染物質として濃い色を有する２種類の色素を用意して、模擬汚染水を作った。模擬汚染水の浄化後、紫外・可視分光光度計を用いて模擬汚染物質の濃度を定量した。小さな分子容の物質の挙動を調べるために、食塩水についても同様の試験を行った。模擬汚染物質は錯体、ｔｒｉｓ−（１，１０−ｐｈｅｎａｎｔｈｒｏｌｉｎｅ）ｉｒｏｎ（ＩＩ）、と８５％デキストリンと１５％食用赤色色素１０２号（８Ｅ）−７−オキソ−８−［（４−スルホナトナフタレン−１−１イル）ヒドラジニリデン］ナフタレン−１，３−スルホン酸ナトリウムの混合物である。
試験結果は表４〜６に示した。具体的には、錯体と食用色素の試験結果は表４と表５に、食塩水の試験結果は表６に示した。【００２３】
【表４】
2010142799.tif 000006
【００２４】
【表５】
2010142799.tif 000007
【００２５】
【表６】
2010142799.tif 000008
【００２６】  表４と表５において、浄化水の吸収スペクトルは全くピークを示さず、模擬汚染物質は１００％除去されたことを示した。ｔｒｉｓ−（１，１０−ｐｈｅｎａｎｔｈｒｏｌｉｎｅ）ｉｒｏｎ（ＩＩ）の分子の直径は１０Å（オングストローム）（１０Å＝１ｎｍ）前後と推測される。赤色色素はｔｒｉｓ−（１，１０−ｐｈｅｎａｎｔｈｒｏｌｉｎｅ）ｉｒｏｎ（ＩＩ）よりもさらに大きい。一方、一般的な菌の大きさは０．３ミクロン（３００ｎｍ）以上であるから、菌は確実に除去されると考えられる。
実際、塩化ナトリウムは格子定数が５．４Å（０．５４ｎｍ）で、この大きさの分子あるいはイオンは素通りするため、表６に示される通り、除去率は極めて低い値であった。
そのため、本発明の上記海水の飲料水化装置において、それを構成する手動ポンプの性能を低圧用のものに、そして逆浸透膜の透過穴を大きいものに変えた場合、塩化ナトリウムのように小さな分子あるいはイオンは除去されず、金属でも錯体あるいは有機金属を形成して大きな分子を形成するものや、細菌やウイルスのような大きなものは完全に除去可能であることがわかった。従って、本発明の上記海水の飲料水化装置において、逆浸透膜と手動ポンプの性能を変えるだけで、手動（即ち、人力）により汚染水も飲料水化することが可能なことがわかった。
【産業上の利用可能性】
【００２７】  本発明によれば、手動により、海水から飲料に適する水を、回収率を１０％以上とし、塩除去率９５％以上で、毎分１００ｍｌ以上製造することが可能になる。つまり、本発明によれば、飲料に適する塩分除去率９５％以上の水を、海水から手動により高収率で製造することができる。そのため、海水が近くに存在するにもかかわらず、電源がなかったり、水道が届かなかったりするために飲料水を得ることが困難な場所や、台風や地震等の災害時において、電気的な動力源を用いることなく、手動（即ち、人力）で海水から飲料水を簡易且つ安価で製造するために、本発明の装置を利用することができる。
更に、上記の装置において、逆浸透膜と手動式ポンプの性能を変えれば、汚染水（有機物や細菌類等からなる汚染物質を含む河川水、地下水、湖沼水、工業排水等）を飲料水にすることが可能である。そのため、手動で該汚染水から飲料水を簡易且つ安価に製造するために本発明の装置を利用することも可能である。
【図面の簡単な説明】
【００２８】
【図１】本発明の海水の飲料水化装置の概略図である。
【図２】海水の圧力をそれぞれ３．５ＭＰａ、４ＭＰａおよび５ＭＰａとしたときの浄化水の回収率と塩素イオン除去率の関係を示す図である。
【図３】海水の圧力をそれぞれ３．５ＭＰａ、４ＭＰａおよび５ＭＰａとしたときの浄化水流量と塩素イオン濃度の関係を示す図である。
【符号の説明】
【００２９】  １  海水（３．５％  ＮａＣｌ）
２  海水水槽
３  ポンプ筒
４  シリンダー
５  逆止弁
６  逆止弁
７  ハンドル
８  バルブ
９  圧力計
１０  バルブ
１１  外周筒
１２  逆浸透膜
１３  中心パイプ
１４  通過水穴
１５  濃縮水パイプ
１６  ニードルパイプ
１７  濃縮水
１８  濃縮水槽
１９  透過水パイプ
２０  透過水
２１  透過水槽
【図１】
2010142799.tif 000009
【図２】
2010142799.tif 000010
【図３】
2010142799.tif 000011